(57)【要約】【課題】各種電子機器に使用される表示装置に関し、高密度化や小型化が可能なものを提供することを目的とする。【解決手段】液晶素子１４を収納したホルダー１３下面に下方へ突出する脚部１３Ｄを設け、この脚部１３Ｄに形成された爪部１３Ｅを配線基板１１の切欠部１１Ａまたは通孔に係止すると共に、脚部１３Ｄによってホルダー１３を配線基板１１から浮かせ、配線基板１１上面とホルダー１３下面間に所定の空隙を設けて表示装置を構成することによって、高密度化や小型化が可能な表示装置を得ることができる。【選択図】　図１
2004138782.tif 000002
【特許請求の範囲】
【請求項１】
複数の導電パターンが形成された配線基板と、この配線基板上に装着されたホルダーと、このホルダーに収納された液晶素子と、この液晶素子の電極と上記配線基板の導電パターン間を接続する導電ゴムからなり、上記ホルダー下面に下方へ突出する脚部を設け、この脚部に形成された爪部を上記配線基板の切欠部または通孔に係止すると共に、上記配線基板上面と上記ホルダー下面の間に所定の空隙を設けた表示装置。
【請求項２】
ホルダーに電極上方の液晶素子上面に当接する押さえ部を設けた請求項１記載の表示装置。
【請求項３】
ホルダーの液晶素子載置箇所に貫通孔を設けた請求項１記載の表示装置。
【発明の詳細な説明】
【０００１】
【発明の属する技術分野】
本発明は、リモコン送信機や携帯電話等の各種電子機器に使用される表示装置に関するものである。
【０００２】
【従来の技術】
近年、リモコン送信機や携帯電話等の各種電子機器の高機能化や小型化が進む中、これらに用いられる表示装置や電子回路にも、より一層の高密度化や小型化が求められている。
【０００３】
このような従来の表示装置について、図４を用いて説明する。
【０００４】
図４は従来の表示装置の断面図であり、同図において、１は上下面に複数の導電パターンが形成された配線基板で、これらの導電パターンにはマイコンや発光素子等の各種電子部品が実装され、送受信回路や入出力回路等の電子回路（図示せず）が形成されている。
【０００５】
そして、２は略箱状で金属製のホルダー、３はこのホルダー２内に収納された液晶素子で、ホルダー２上面には開口孔２Ａが設けられ、この開口孔２Ａから液晶素子３上面の表示部３Ａが露出すると共に、ホルダー２には下方へ突出し配線基板１の通孔１Ａに挿入された脚部２Ｂが設けられ、この先端の爪部２Ｃを捩ることによってホルダー２が配線基板１に固定装着されている。
【０００６】
また、４は液晶素子３と共にホルダー２内に収納された導電ゴムで、この導電ゴム４がやや撓んだ状態で、上下面が液晶素子３の電極３Ｂと配線基板１の導電パターン１Ｂに弾接し、これらの間に電気的に接続して表示装置が構成されている。
【０００７】
そして、このように構成された表示装置が電子機器に組込まれ、機器の操作や送受信が行われると、この操作や送受信の内容等が電子回路によって、液晶素子３の表示部３Ａに表示されるように構成されているものであった。
【０００８】
なお、この出願の発明に関連する先行技術文献情報としては、例えば、特許文献１が知られている。
【０００９】
【特許文献１】
特開平３−１７３１９８号公報
【００１０】
【発明が解決しようとする課題】
しかしながら、上記従来の表示装置においては、液晶素子３がホルダー２によって配線基板１上面に装着されているため、このホルダー２や液晶素子３が載置された箇所の配線基板１上には他の電子部品を実装配置することができず、電子回路の高密度化や小型化を図ることが困難であるという課題があった。
【００１１】
本発明は、このような従来の課題を解決するものであり、高密度化や小型化が可能な表示装置を提供することを目的とする。
【００１２】
【課題を解決するための手段】
上記目的を達成するために本発明は、以下の構成を有するものである。
【００１３】
本発明の請求項１に記載の発明は、液晶素子を収納したホルダー下面に下方へ突出する脚部を設け、この脚部に形成された爪部を配線基板の切欠部または通孔に係止すると共に、脚部によってホルダーを配線基板から浮かせ、配線基板上面とホルダー下面の間に所定の空隙を設けて表示装置を構成したものであり、ホルダー下面の配線基板上にも電子部品を実装配置することができるため、高密度化や小型化が可能な表示装置を得ることができるという作用を有する。
【００１４】
請求項２に記載の発明は、請求項１記載の発明において、ホルダーに電極上方の液晶素子上面に当接する押さえ部を設けたものであり、液晶素子の電極上面を保持することによって、導電ゴムを液晶素子の電極と配線基板の導電パターンへ安定して弾接させ、電気的接続を確実なものとすることができるという作用を有する。
【００１５】
請求項３に記載の発明は、請求項１記載の発明において、ホルダーの液晶素子載置箇所に貫通孔を設けたものであり、部品交換時等にホルダーへ収納された液晶素子を取外す際、ピン等によって貫通孔から液晶素子を押して外せるため、交換作業等を容易に行うことができるという作用を有する。
【００１６】
【発明の実施の形態】
以下、本発明の実施の形態について、リモコン送信機を例として図１〜図３を用いて説明する。
【００１７】
（実施の形態）
図１は本発明の一実施の形態による表示装置の断面図、図２は同分解斜視図、図３は同ホルダーの平面図であり、同図において、１１は紙フェノールやガラス入りエポキシ等の配線基板で、この上下面には銅箔等の複数の導電パターンが形成されると共に、これらの導電パターンにはマイコン１２Ａや発光素子１２Ｂ等の各種の電子部品が実装され、送受信回路や入出力回路等の電子回路（図示せず）が形成されている。
【００１８】
そして、１３は略箱状でポリスチレンやＡＢＳ等のホルダーで、上面の収納部１３Ａには液晶素子１４が表示部１４Ａを上にして収納されると共に、収納部１３Ａの側壁１３Ｂ内面には複数の突起部１３Ｃが、側壁１３Ｂ根元には複数の切込みが設けられ、側壁１３Ｂがやや撓んだ状態で突起部１３Ｃを液晶素子１４側面に弾接させて、液晶素子１４が収納部１３Ａ内に収納保持されている。
【００１９】
また、ホルダー１３下面には下方へ突出する脚部１３Ｄが設けられ、この脚部１３Ｄ先端に形成された爪部１３Ｅが配線基板１１の切欠部１１Ａに係止されて、ホルダー１３が配線基板１１に固定装着されると共に、脚部１３Ｄによって配線基板１１上面とホルダー１３下面間には所定の空隙が形成され、この箇所の配線基板１１上にもマイコン１２Ａ等の電子部品が実装配置されている。
【００２０】
さらに、１５はシリコンゴム等にカーボン等が所定の間隔で形成された導電ゴムで、液晶素子１４と共にホルダー１３内に収納され、この導電ゴム１５がやや撓んだ状態で、上下面が液晶素子１４の電極１４Ｂと配線基板１１の導電パターン１１Ｂに弾接し、これらの間を電気的に接続している。
【００２１】
また、ホルダー１３の収納部１３Ａ上面には、液晶素子１４の方向へ突出した押さえ部１３Ｆが設けられ、この押さえ部１３Ｆが電極１４Ｂの上面に当接して液晶素子１４の浮きを押さえ、導電ゴム１５を液晶素子１４の電極１４Ｂと配線基板１１の導電パターン１１Ｂへ安定して弾接させると共に、ホルダー１３下面の液晶素子１４載置箇所には貫通孔１３Ｇが設けられて表示装置が構成されている。
【００２２】
そして、１６は下面開口の略箱状でポリスチレンやＡＢＳ等の上ケース、１７は同じく上面開口の下ケースで、この上ケース１６と下ケース１７内に表示装置が、電池や他の部品（図示せず）等と共に組込まれてリモコン送信機が構成されている。
【００２３】
以上の構成において、上ケース１６上面に突出した押釦（図示せず）等を操作すると、マイコン１２Ａに記憶されたリモコンデータが、発光素子１２Ｂから赤外線信号としてテレビやエアコン等の電子機器へ送信され、これらの機器の遠隔操作が行われると共に、この操作や送受信の内容等が電子回路によって、液晶素子１４の表示部１４Ａに表示される。
【００２４】
このように本実施の形態によれば、液晶素子１４を収納したホルダー１３下面に下方へ突出する脚部１３Ｄを設け、この脚部１３Ｄに形成された爪部１３Ｅを配線基板１１の切欠部１１Ａまたは通孔に係止すると共に、脚部１３Ｄによってホルダー１３を配線基板１１から浮かせ、配線基板１１上面とホルダー１３下面間に所定の空隙を設けて表示装置を構成することによって、ホルダー１３下面の配線基板１１上にもマイコン１２Ａ等の電子部品を実装配置することができるため、高密度化や小型化が可能な表示装置を得ることができるものである。
【００２５】
そして、ホルダー１３に電極１４Ｂ上方の液晶素子１４上面に当接する押さえ部１３Ｆを設け、この押さえ部１３Ｆで液晶素子１４の電極１４Ｂ上面を保持することによって、導電ゴム１５を液晶素子１４の電極１４Ｂと配線基板１１の導電パターン１１Ｂへ安定して弾接させ、この電気的接続を確実なものとすることができる。
【００２６】
また、ホルダー１３の液晶素子１４載置箇所に貫通孔１３Ｇを設けることによって、部品交換時等にホルダー１３へ収納された液晶素子１４を取外す際、ピン等によって貫通孔１３Ｇから液晶素子１４を押して外せるため、交換作業等を容易に行うことができる。
【００２７】
なお、以上の説明では、脚部１３Ｄの爪部１３Ｅのみによってホルダー１３を配線基板１１に固定装着する構成として説明したが、ホルダー１３の数箇所をねじ等によって締付けることによって、さらに確実に固定装着することができる。
【００２８】
また、リモコン送信機を例として説明したが、これ以外にも携帯電話や携帯端末等、様々な電子機器においても本発明の実施は可能である。
【００２９】
【発明の効果】
以上のように本発明によれば、高密度化や小型化が可能な表示装置を得ることができるという有利な効果が得られる。
【図面の簡単な説明】
【図１】本発明の一実施の形態による表示装置の断面図
【図２】同分解斜視図
【図３】同ホルダーの平面図
【図４】従来の表示装置の断面図
【符号の説明】
１１　配線基板
１１Ａ　切欠部
１１Ｂ　導電パターン
１２Ａ　マイコン
１２Ｂ　発光素子
１３　ホルダー
１３Ａ　収納部
１３Ｂ　側壁
１３Ｃ　突起部
１３Ｄ　脚部
１３Ｅ　爪部
１３Ｆ　押さえ部
１３Ｇ　貫通孔
１４　液晶素子
１４Ａ　表示部
１４Ｂ　電極
１５　導電ゴム
１６　上ケース
１７　下ケース
【図１】
2004138782.tif 000003
【図２】
2004138782.tif 000004
【図３】
2004138782.tif 000005
【図４】
2004138782.tif 000006